(57)【特許請求の範囲】
【請求項１】
反射面を有する反射鏡と、
前記反射鏡を取り付ける取り付け板と、
前記反射鏡の内面に臨むように前記取り付け板の取り付け面に取り付けられるＬＥＤパッケージと、
を有する複数の反射鏡式発光体を筐体内に収容した反射鏡式照明器具であって、
前記取り付け板は、隣接して配置された反射鏡式発光体から照射される直接光であって、隣接して配置された反射鏡式発光体の反射鏡により反射されない直接光の一部を遮断する遮断部を有し、前記遮断部は前記反射面の縁部よりも当該反射鏡式照明器具の照射方向に延出された反射鏡式照明器具。
【請求項２】
請求項１に記載の反射鏡式照明器具であって、
前記複数の反射鏡式発光体は、複数の前記反射鏡式発光体で構成された列を複数なし、
複数の前記列のうち同じ列においては、隣接する反射鏡式発光体において前記ＬＥＤパッケージが主に発光する光の照射方向が互いに反対向きとなるように複数の前記反射鏡式発光体を配置し、前記反射鏡が干渉しない範囲で密に複数の前記反射鏡式発光体が配置される反射鏡式照明器具。
【発明の詳細な説明】
【技術分野】
【０００１】
本発明は、反射鏡式照明器具に係り、特に光源からの光を効率的に反射させる反射鏡式照明器具に関する。
【背景技術】
【０００２】
白熱電球に代わる照明装置として、光源としてＬＥＤ（発光ダイオード）素子を用いた照明器具が用いられるようになってきている。車両用灯具ユニットのように、発光素子が反射鏡の光軸と直交する方向に向けて配置された反射型の車両用灯具ユニットにおいては、発光素子から反射鏡に入射することなく反射鏡の前方側の空間へ向かう直射光の割合が多くなる。
そこで、発光素子の配光パターンのホットゾーンの明るさを十分に確保した上で効率を高めるべく、光軸上において車幅方向内側に向けて発光素子を配置した車両用灯具ユニットが提案されている（特許文献１、段落００３３など）。この車両用灯具ユニットは、発光素子からの光を前方に向けて反射させるリフレクタ（反射鏡）とこのリフレクタに入射することなくリフレクタの前方側の空間に向かう直接光を制御する直接光制御部材とを具備している。
【先行技術文献】
【特許文献】
【０００３】
【特許文献１】特開2008-226788号公報
【発明の概要】
【発明が解決しようとする課題】
【０００４】
特許文献１の車両用灯具ユニットでは、直接光制御部材をＬＥＤ素子近傍に配設することで、部品増となる上、調整によっては光量低下の原因となり、配光制御を十分に実施しようとすると反射鏡を大型としなければならず、コストアップとなる可能性がある。一方、大規模建築などで用いられるアッパーライトでは、必要な出力を担保するために複数の発光体を配置する場合があるが、この場合、反射鏡を大きくしないと、見る角度によってはグレアが大きくなる。このため、照明器具の大型化を免れ得ないという問題があった。
本発明は前記実情に鑑みてなされたもので、小型でかつグレアを抑制することのできる反射鏡式照明器具を提供することを目的とする。
【課題を解決するための手段】
【０００５】
上記課題を解決するために、本発明の反射鏡式照明器具は、反射面を有する反射鏡と、前記反射鏡を取り付ける取り付け板と、前記反射鏡の内面に臨むように前記取り付け板の取り付け面に取り付けられるＬＥＤパッケージと、を有する複数の反射鏡式発光体を筐体内に収容した反射鏡式照明器具であって、前記取り付け板は、隣接して配置された反射鏡式発光体から照射される直接光であって、隣接して配置された反射鏡式発光体の反射鏡により反射されない直接光の一部を遮断する遮断部を有し、前記遮断部は前記反射面の縁部よりも当該反射鏡式照明器具の照射方向に延出されたものである。
また、前記遮光板が、隣り合う前記反射鏡式発光体を構成する前記取り付け板であることが好ましい。上記反射鏡式照明器具において、前記遮光板が、前記反射面の縁部よりも前記ＬＥＤパッケージから離れる側に延出し、かつ前記反射鏡の外面と前記取り付け面とが対向するように配置されることが好ましい。
さらに、上記いずれかひとつに記載の反射鏡式照明器具において、前記複数の反射鏡式発光体は、複数の前記反射鏡式発光体で構成された列を複数なし、複数の前記列のうち同じ列においては、隣接する反射鏡式発光体において前記ＬＥＤパッケージが主に発光する光の照射方向が互いに反対向きとなるように複数の前記反射鏡式発光体を配置し、前記反射鏡が干渉しない範囲で密に複数の前記反射鏡式発光体が配置されることが好ましい。
また、上記反射鏡式照明器具において、反射鏡式発光体は、取り付け板がＬＥＤパッケージを収容する凹部を有し、収容された状態でＬＥＤパッケージの光軸が、取り付け板に直交する方向よりも、反射鏡の分割面に近い方向を向くように構成される。
また、上記反射鏡式照明器具において、反射鏡式発光体は、取り付け板が独立して回動可能である。
また、上記反射鏡式照明器具において、反射鏡は、回転体である傘状反射面を回転軸に沿って分割されたものである。
本発明においては、ＬＥＤ素子を樹脂封止して構成された発光装置をＬＥＤパッケージというものとする。
【発明の効果】
【０００６】
この構成によれば、取り付け板が、ＬＥＤパッケージからの直接光を遮断し得る程度に出射面側に延出されるとともに、反射鏡の外面と取り付け面とが対向するように配置されるため、この取り付け板は反射鏡から漏れる直射光を遮光する遮光板として機能する。このため、反射鏡のサイズを小型とした状態で、配光制御やグレアを抑制することができる。
【図面の簡単な説明】
【０００７】
【図１】実施の形態１の反射鏡式照明器具を示す図、（ａ）は上面図、（ｂ）は（ａ）のＡ−Ａ断面図
【図２】実施の形態１の反射鏡式照明器具を構成する反射鏡式発光体（ユニット）Ｕを示す要部拡大図
【図３】実施の形態２の反射鏡式照明器具の要部拡大断面図
【図４】実施の形態３の反射鏡式照明器具の全体上面図
【図５】実施の形態３の反射鏡式照明器具の要部斜視図
【図６】実施の形態２の反射鏡式照明器具の全体上面図
【図７】実施の形態４の反射鏡式照明器具の要部断面図
【図８】実施の形態４の変形例の反射鏡式照明器具の要部断面図
【図９】実施の形態５の反射鏡式照明器具の要部断面図
【図１０】実施の形態６の反射鏡式照明器具を示す図、（ａ）は要部上面図、（ｂ）は要部断面図
【発明を実施するための形態】
【０００８】
（実施の形態１）
この反射鏡式照明器具１０は、全体概要を図１（（ａ）および（ｂ））に示すように、筐体１内に、４行５列で２０個の反射鏡式発光体ユニットを配列したものである。この反射鏡式照明器具において、各反射鏡式発光体ユニットは、筐体１内に、反射鏡５と、この反射鏡５の端面５ｅを含む面上で、この反射面５ａを取り付ける取り付け板３と、反射鏡５の内面に臨むように取り付け板３に取り付けられるＬＥＤパッケージ６と、を有している。そして、この取り付け板３は、このＬＥＤパッケージ６からの直接光Ｌを遮断し得る程度に、ＬＥＤパッケージ６からの光の出射面側に延出されるとともに、反射鏡５の外面５ｂと取り付け板３の取り付け面３ｂとが対向するように配置される。そしてこの反射鏡５は、回転体である反射面を回転軸に沿って分割しこの分割面が近接するように反射面を取り付け板３に取り付けて構成される。ここで２は蓋部であり、筐体１に係合するように設置され、レンズ２ａと、フィルタ２ｂと、保護ガラス２ｃとの積層体で構成される。光源からの光のうち、光軸を含む面で分割される一方の領域に向かう光を反射板５で反射する一方、レンズ２ａで他方の領域に向かう光をこの反射板５の反射光と略同方向に集光する。
図１（ａ）は上面図、図１（ｂ）は図１（ａ）のＡ−Ａ断面図である。図２はこの反射鏡式発光体Ｕを示す要部拡大図である。
【０００９】
この反射鏡式照明器具１０においては、図２に要部拡大断面図を示すように、ＬＥＤパッケージ６は、反射鏡５の内面である反射面５ａに臨むように取り付け板３に取り付けられている。そして反射鏡５は、回転体である反射面を回転軸に沿って分割して形成されており、光源としてのＬＥＤパッケージ６からの光Ｌが直接出射するのを防ぎ、平行光となって矢印Ａ１で示す上方に導かれるような面を構成している。この取り付け板は、上記反射面の縁部よりも上記ＬＥＤパッケージから離れる側に延出した状態で、上記反射鏡の外面と取り付け面とが対向している。そしてこの取り付け板３は、反射鏡５の分割面５Ｖが近接するように反射面５ａを取り付けている。
【００１０】
このようにして、実施の形態１の反射鏡式照明器具によれば、この取り付け板３は、傘状反射面の縁部よりもＬＥＤパッケージ６から離れる側に延出した状態で、反射鏡５の外面５ｂと取り付け面とが対向するように配置される。従って、取り付け板３は反射鏡から漏れる直射光を遮光する遮光板として機能するため、反射鏡の小型化をはかりつつ良好な平行光を発することができ、良好にグレアを抑制することが可能となる。
【００１１】
なお、実施の形態１では、蓋部２にレンズ２ａを挟み込み、集光機能を持たせるようにしたが、反射鏡で平行光を出射できるようにすることで、集光機能が不要となる場合もある。
また、取り付け板の表面は、透光板でなければよく、反射板あるいは集光板で構成すればよい。
加えて、この反射鏡式照明器具１０においては、複数の反射鏡式発光体を配列して形成したが、１個でも良い事はいうまでもない。１個の場合は取り付け板が箱状の筐体を構成し反射鏡の外面側にも配されるようにすればよい。
【００１２】
（実施の形態２）
この反射鏡式照明器具２０においては、図３に要部拡大断面図を示すように、反射鏡式照明器具のひとつの反射鏡式発光体を構成したものである。この反射鏡式照明器具２０において、反射鏡１５は、図２に示した実施の形態１の反射鏡式照明器具の反射鏡に比べ反射鏡の鏡面の曲率が大きく、取り付け板１３の端面よりも突出している点を除くと、実施の形態１の反射鏡式照明器具の反射鏡と同様に、回転体である反射面を回転軸に沿って分割して形成されており、光源としてのＬＥＤパッケージ１６からの光が直接出射するのを防ぎ、平行光となって矢印Ａ２で示す上方に導かれるような面を構成している。
他の部分については実施の形態１の反射鏡式照明器具と同様に形成されるためここでは説明を省略する。
【００１３】
またＬＥＤパッケージ１６は、反射鏡１５の内面である反射面１５ａに臨むように取り付け板１３に取り付けられる。そしてこの取り付け板１３は、反射鏡１５の外面１５ｂと取り付け面とが対向するように配置される。
【００１４】
実施の形態２の反射鏡式照明器具によれば、反射鏡の反射面１５ａを調整することで、反射鏡の小型化をはかりつつ、反射鏡から漏れる直射光を低減し、良好にグレアを抑制することが可能となる。なお実施の形態２の反射鏡式照明器具２０を示す図３と、実施の形態１の反射鏡式照明器具１０を示す図２とを比較すると、大型となってはいるが、集光率は向上する。
【００１５】
（実施の形態３）
実施の形態３の反射鏡式照明器具３０においては、図４に全体上面図、図５に要部斜視図を示すように、各反射鏡式発光体の光出射面からみて反射鏡の縁部が互い違いとなるように配置されるものである。すなわち、この反射鏡式照明器具３０は、４行４列で１６個の反射鏡式発光体を千鳥状に配列したものである。この反射鏡式照明器具３０において、個々の反射鏡式発光体自体は、図１に示した実施の形態１の反射鏡式照明器具の反射鏡式発光体の一つと同様に形成されているが、配列が千鳥状に配列された点で異なる。
【００１６】
この反射鏡式照明器具３０（図４参照）は、実施の形態１の反射鏡式照明器具１０の反射鏡式発光体の配列構造を模式的に示す図６との比較から明らかなように、厚さが実施の形態１の反射鏡式照明器具に比べて小さく、筐体２１は極めて薄型となっている。
そして、実施の形態１の反射鏡式照明器具の反射鏡と同様に、回転体である反射面を回転軸に沿って分割して形成されており、図５に要部拡大斜視図を示すように、光源としてのＬＥＤパッケージ２６からの光Ｌ３が直接出射するのを防ぎ、平行光となって矢印Ａ３で示す上方に導かれるような面を構成している。そしてこの取り付け板２３は、反射面の縁部よりもＬＥＤパッケージから離れる側に延出した状態で、反射鏡の外面と取り付け面とが対向するように配置され反射鏡２５の分割面が近接するように反射面２５ａを取り付けている。
【００１７】
かかる構成によれば、反射鏡式発光体は、反射鏡の光出射面からみて反射鏡の縁部が互い違いとなるように配置されるため、反射鏡式発光体の配置密度を向上させることができ、照明器具を小型化することができる。
【００１８】
（実施の形態４）
実施の形態４の反射鏡式照明器具においては、図７に要部断面図を示すように、ＬＥＤパッケージ３６の光軸Ｂ０が取り付け板３３に直交する方向よりも、反射鏡３５の分割面に近い方向を向くようにしたものである。ここで取り付け板３３は透光性材料で構成されている。
この構成によれば、ＬＥＤパッケージ３６の光軸が、取り付け板３３に直交する方向よりも、反射鏡の分割面に近い方向を向くので、よりグレアを低減することができ、反射鏡３５をさらに小型化することができる。従って筐体自体も小さくすることができ、照明器具全体としても小型化を図ることができる。なお取り付け板３３を透光性材料で構成することで、より光の取り出し効率を向上することができる。
【００１９】
なお、このＬＥＤパッケージ３６の光軸Ｂ０が取り付け板３３に対して回動可能に形成してもよい。このとき、図７のように光軸Ｂ０が取り付け板３３に斜交した状態から、図８に示すように、ＬＥＤパッケージ３６の光軸Ｂ０が取り付け板３３に直交する方向となるようにしたときは、取り付け板３３を遮光性部材あるいは反射性部材で構成することで、隣接する反射鏡式発光体の取り付け板３３で直射光を遮蔽することができる。
【００２０】
（実施の形態５）
実施の形態５の反射鏡式照明器具においては、図９に要部断面図を示すように、実施の形態４の反射鏡式照明器具と同様、ＬＥＤパッケージ４６の光軸Ｂ１が取り付け板４３に直交する方向よりも、反射鏡４５の分割面に近い方向を向くようにした点は、同様であるが、取り付け板がＬＥＤパッケージを収容する凹部４７を有し、この凹部４７に収容された状態でＬＥＤパッケージ４６の光軸Ｂ１が取り付け板４３に斜交するように構成したものである。
【００２１】
この構成によれば、ＬＥＤパッケージ４６が凹部４７に収容されているため、光源が見えない。従って、光軸が、取り付け板４３に直交する方向よりも、反射鏡の分割面に近い方向を向くので、よりグレアを低減することができ、反射鏡４５をさらに小型化することができる。なお、この反射鏡式照明器具においては、取り付け板４３が反射鏡４５よりも突出して形成されているが、この例では、反射鏡４５の反射面で直接光は反射されるため、取り付け板は直接光の遮断に寄与しなくてもよい場合もある。このため反射鏡４５はＬＥＤパッケージ４６の取り付け板４３への取り付け位置から突出しないように配置されるようにしてもよく、更なる小型化をはかることができる。
このように実施の形態５の反射鏡式照明器具においては、反射鏡式発光体は、取り付け板がＬＥＤパッケージを収容する凹部４７を有し、収容された状態でＬＥＤパッケージ４６の光軸Ｂ１が、取り付け板に直交する方向よりも、反射鏡の分割面に近い方向を向くため、よりグレアを低減することができる。
【００２２】
（実施の形態６）
実施の形態６の反射鏡式照明器具においては、図１０（ａ）および（ｂ）に要部上面図および要部断面図を示すように、反射鏡式発光体は、取り付け板５３が独立して回動可能であることを特徴とするものである。
本実施の形態では、ＬＥＤパッケージ５６の反射鏡５５に対する角度Ｑ１，Ｑ２は一定であるが、取り付け板５３がそれぞれ独立して回動可能に構成したものである。他の構成については前記実施の形態１と同様であり、同一部位には同一符号を付した。
これにより、光の出射方向を調整することができる。また異なる方向に向くように調整することで演出性を高めることができる。取り付け板が回動することで個別に光の出射方向を可変とすることができるので、任意の場所に光を集光させることができる。
【符号の説明】
【００２３】
１、１１、２１  筐体
３、１３、２３、３３、４３、５３  取り付け板
３ｂ  取り付け面
５、１５、２５、３５、４５、５５  反射鏡
５ａ  反射面
５ｂ  外面
６、１６、２６、３６、４６、５６  ＬＥＤパッケージ
【図１】
0005579461.tif 000002
【図２】
0005579461.tif 000003
【図３】
0005579461.tif 000004
【図４】
0005579461.tif 000005
【図５】
0005579461.tif 000006
【図６】
0005579461.tif 000007
【図７】
0005579461.tif 000008
【図８】
0005579461.tif 000009
【図９】
0005579461.tif 000010
【図１０】
0005579461.tif 000011